(57)【要約】【課題】安価な素材によって擬花を作製できるとともに、省エネルギーで、光源の交換頻度を低減した葬儀葬祭用蓮華灯を提供する。【解決手段】擬花の中に光源としてLED電球を有する葬儀葬祭用蓮華灯１。LED電球は下方の非放射範囲が大きいので、光の利用効率を高めるために擬花の内部空間の下半分に設置される。LED電球は発熱が少ないため、擬花の内部に熱が籠もりにくい。従って、擬花に耐熱性を持たせる必要がなく、擬花の素材を特に選ばなくても良いため、安価な素材で擬花を作製することができる。また、LED電球は白熱電球等の従来の光源に比べて電力消費が少なく、寿命も長いので、省エネルギーかつ光源の交換頻度を低減した葬儀葬祭用蓮華灯を提供することができる。【選択図】図１
0003168388.tif 000002
【実用新案登録請求の範囲】
【請求項１】
擬茎と、前記擬茎の先端に止着された擬花と、前記擬花の内部空間に配置されたLED電球とを有することを特徴とする、葬儀葬祭用蓮華灯。
【請求項２】
前記LED電球が、前記擬花の内部空間の下半分に配置されていることを特徴とする、請求項１に記載の葬儀葬祭用蓮華灯。
【考案の詳細な説明】
【技術分野】
【０００１】
本考案は、葬儀葬祭用蓮華灯に関する。
【背景技術】
【０００２】
一般に、通夜や告別式、回忌法要やお盆の行事等の葬儀葬祭において故人の霊を慰め、葬儀葬祭が行われる会場に荘厳な雰囲気を与えるために、例えば祭壇上を行燈や、蓮の花を模した蓮華灯等によって飾ることが行われている。なお、ここでは、葬儀葬祭の例として通夜、告別式、回忌法要、お盆行事を挙げたが、葬儀葬祭には故人の霊を慰める様々な行事が含まれるものであり、以下では、葬儀葬祭で広く用いられる蓮華灯を「葬儀葬祭用蓮華灯」と呼ぶ。
仏教では、蓮の花は極楽浄土に咲く花であるといわれていることから、葬儀葬祭用蓮華灯は、故人が旅立っていった極楽浄土を象徴するものとして、故人の霊のみならず遺族や参列者らを慰めるために広く用いられている。
【０００３】
このような葬儀葬祭用蓮華灯として、例えば特許文献１のようなものが知られている。これは、蓮の花を模した透光性の擬花の花芯に光源として豆電球を設置し、該豆電球を発光させることにより、擬花の内部から光が漏れ出すというものである。このように擬花をその内部から光らせることによって、祭壇を明るく照らしてより荘厳かつ宗教的な雰囲気を与えるとともに、遺族や参列者らの心情をより一層慰めることができる。
【先行技術文献】
【特許文献】
【０００４】
【特許文献１】特開平11-164774号公報
【考案の概要】
【考案が解決しようとする課題】
【０００５】
上述した葬儀葬祭用蓮華灯は、当然ながら葬儀葬祭の間中、祭壇等の上に飾られる。一般的に、通夜や告別式といった葬儀葬祭の儀式は長時間を要し、葬儀葬祭用蓮華灯も長時間に亘って使用されることになる。従って、上述した特許文献に係る装飾具のように、擬花の内部に豆電球等の光源が取り付けられている場合、該光源は長時間にわたり点灯され続ける。
【０００６】
しかしながら、従来のように擬花の中の光源として豆電球等の白熱電球を採用した場合、長時間に亘って点灯し続けると光源が発熱してしまう。光源が発熱すれば、光源を内包する擬花には熱が籠もりやすく、擬花が高温に達してしまう。擬花が長時間にわたって高温に曝されると、擬花の変色や破損といった劣化が生じる。そこで、このような擬花の劣化を防ぐために、耐熱性を有する素材によって擬花を作製せねばならず、高コストを要した。さらに白熱電球の場合、長時間点灯させることによって電力を多量に消費する上、寿命が短いため頻繁に交換する必要があるという問題もあった。
【０００７】
そこで本考案が解決しようとする課題は、光源が発熱せず、安価な素材であっても擬花を作製できるとともに、省エネルギーで、光源の交換頻度を低減した葬儀葬祭用蓮華灯を提供することにある。
【課題を解決するための手段】
【０００８】
上記課題を解決するために成された本考案に係る葬儀葬祭用蓮華灯は、擬茎と、前記擬茎の先端に止着された擬花と、前記擬花の内部空間に配置されたLED電球とを有することを特徴とする。
【０００９】
さらに、前記LED電球は、前記擬花の内部空間の下半分に配置されるものとすることができる。
【考案の効果】
【００１０】
本考案に係る葬儀葬祭用蓮華灯は、光源としてLED電球を採用している。LED電球は白熱電球に比べて発熱が少ないため、擬花の作製に耐熱性を有する素材を用いる必要がない。従って、擬花の素材を特に選ばなくても良いので、安価な素材を用いて擬花を作製することが可能である。
また、LED電球は白熱電球に比べて消費電力が少なく、寿命も長い。従って、省エネルギーであるとともに光源の交換頻度を低減した葬儀葬祭用蓮華灯を実現することができる。
【図面の簡単な説明】
【００１１】
【図１】本考案に係る葬儀葬祭用蓮華灯の全体図。
【図２】本考案に係る葬儀葬祭用蓮華灯において、擬花を取り外した図。
【図３】本考案に係る葬儀葬祭用蓮華灯の擬似植物体を分解して照明装置３０を取り出した図。
【図４】本考案に係る葬儀葬祭用蓮華灯において、擬花１１を底面から見た図。
【図５】本考案に係る葬儀葬祭用蓮華灯において、擬花１１の内部にLED電球１３１を設置した側面断面図。
【図６】本考案の他の実施例に係る葬儀葬祭用蓮華灯において、擬花１１の別の態様を示す側面断面図。
【考案を実施するための形態】
【００１２】
本考案の構成を、図面を参照しながら以下詳細に説明する。  
図１において、葬儀葬祭用蓮華灯１は、擬花１１、擬茎、擬実１３、擬葉１４及び擬蕾１５を有する擬似植物体を、土台２０の上に自立させた構成を有している。擬花１１は、極楽浄土に咲く花であるとして葬祭の装飾に広く用いられる蓮の花を模したものである。擬茎は、１本の本茎１２１ａと、本茎１２１ａから適宜の間隔で分岐した複数の側茎１２１ｂとから成る。本茎１２１ａの先端には擬花１１が止着されるとともに、側茎１２１ｂの先端には擬花１１の他に擬実１３、擬葉１４、擬蕾１５が、全体として自然な植物体に見えるよう適宜止着されている。本実施例では、擬実１３は蓮の実を、擬葉１４は蓮の葉を、擬蕾１５は蓮の蕾を模したものである。
【００１３】
図２は、葬儀葬祭用蓮華灯１から擬花１１を取り外した図である。擬花１１は、本茎１２１ａ及び側茎１２１ｂに取り外し可能に止着されている。本茎１２１ａの先端にはLED電球１３１が配置されており、該LED電球１３１に擬花１１を被せて止着することにより、擬花１１の内部にLED電球１３１が位置するようになっている。また、擬花１１が取り付けられる側茎１２１ｂの先端にもLED電球１３１が配置されており、擬花１１の止着によって擬花１１の内部にLED電球１３１が位置するようになっている。
なお、擬花１１だけでなく擬実１３や擬蕾１５も葬儀葬祭用蓮華灯１から取り外し可能であるが、これらが止着される側茎１２１ｂの先端にはLED電球１３１が取り付けられていない。
【００１４】
図３は、葬儀葬祭用蓮華灯１の擬似植物体を分解して、該擬似植物体の内部から照明装置３０を取り出した図である。照明装置３０は、コンセント１３０、LED電球１３１、給電コード、及び前記LED電球１３１の口金に対応するソケット１３３から成る。LED電球１３１及びソケット１３３は擬花１１と同じ数だけ設けられ、本実施例ではそれぞれ３個ずつ設けられている。給電コードは、１本の主コード１３２ａと、この主コード１３２ａの一端から分岐する３本の分岐コード１３２ｂから成り、各分岐コード１３２ｂの先端にソケット１３３及びLED電球１３１がそれぞれ１個ずつ取り付けられている。コンセント１３０は主コード１３２ａの他端に取り付けられている。本茎１２１ａ、及び擬花１１が取り付けられる側茎１２１ｂの内部は中空状である。給電コードは、土台２０の適当な場所に設けられた孔（図示せず）から外部に引き出された主コード１３２ａの他端側の一部を除き、本茎１２１ａ及び側茎１２１ｂの内部に挿通されている。
【００１５】
LED電球１３１は、E１２口金のナツメ球タイプが好ましいが、擬花１１の内部に収まる大きさであれば、他の一般的な市販のLED電球を採用することができる。LED電球１３１の発する光の色調は白色でも良いが、橙ないし黄色の暖色系である方が、温かく穏やかな印象の光となるのでより好ましい。
【００１６】
本茎１２１ａは一又は複数のつなぎ目１２２によってばらばらに分解され得る。つなぎ目１２２は、図３に示されるように片方を差込口とし、前記差込口の中へもう一方の先端を差し込む態様であることが好ましいが、これに限定されるものではない。
【００１７】
次に、図４及び図５を参照しながら、擬花１１の構造について述べる。擬花１１は、複数枚のがく１１０と複数枚の花びら１１１により、全体として一輪の自然な蓮の花に見えるように形成されている。
がく１１０及び花びら１１１の根元部分は、第１の円環部材１１３の上面及び下面に、適宜の間隔で取り付けられている。また、前記第１の円環部材１１３の下部にはがく１１０を挟むように第２の円環部材１１４が取り付けられている。  
がく１１０及び花びら１１１を第１の円環部材１１３に取り付ける方法、及び第１の円環部材１１３を第２の円環部材１１４に取り付ける方法としては、接着剤による接着、ホッチキスなどの固定具を用いた固定等の一般的な方法を好適に用いることができる。がく１１０と第１及び第２の円環部材１１３、１１４の取付部分を覆い隠すため、第２の円環部材１１４の下面及びがく１１０の根元側の下面には、円環カバー１１２が貼り付けられている。
【００１８】
第１の円環部材１１３、第２の円環部材１１４及び円環カバー１１２の中央にはそれぞれ略同じ大きさの円孔が開いており、これら円孔が合致するように第１の円環部材１１３、第２の円環部材１１４及び円環カバー１１２が重ね合わされている。これらの円孔の直径は、LED電球１３１の最大外径及びソケット１３３の上半部の外径よりわずかに大きい。また、ソケット１３３の下半部の外周面にはフランジ１３４が設けられている。
以上の構成により、擬花１１は、円環カバー１１２、第１の円環部材１１３及び第２の円環部材１１４の各円孔を通してLED電球１３１及びソケット１３３の上半部に挿通され、フランジ１３４に当接することで該ソケット１３３に保持される。
この時、LED電球１３１は、擬花１１の内部空間の下半分に位置する。LED電球は一般的に、口金の直下を除くほぼ全方向に光を放射する従来の白熱電球とは異なり、下方向の非放射範囲が大きく、主に上方向に光を発する。従って、LED電球１３１を擬花１１の内部空間の下半分に配置することにより、LED電球１３１の発する光の利用効率を最大限にまで高めることができる。
なお、第１の円環部材１１３及び第２の円環部材１１４の外径は、互いに異なっていても良く、同じでも良い。円環カバー１１２は、第２の円環部材１１４の下面全体を覆うことができるように、少なくとも前記第２の円環部材１１４の外径よりも大きな外径を有するものとされる。
【００１９】
がく１１０、花びら１１１及び円環カバー１１２は、紙又はプラスチック等の安価な材料を用いて作製することができる。
花びら１１１は、透光性を有する薄い部材を用いて、例えば薄紙や薄いプラスチック等を用いて作製される。これにより、LED電球１３１の発する光の一部が花びら１１１を透過して外部に漏れ出るので、あたかも擬花１１自体が発光しているかのような神秘的な印象を見る者に与えることができる。
第１の円環部材１１３及び第２の円環部材１１４も、がく１１０及び花びら１１１と同様に、紙やプラスチック等の安価な材料を好適に用いることができる。ただし、がく１１０及び花びら１１１よりも高強度を有するようにした方が、がく１１０及び花びら１１１を取り付ける上で好ましい。
【００２０】
自然な花を模するために、がく１１０及び円環カバー１１２は緑色系の色であることが好ましい。花びら１１１は白色でも良いが、桃色や薄紫色などの淡い色調を採用すれば、花びら１１１がLED電球１３１の光を透過しやすいだけでなく、LED電球１３１の発する光と花びら１１１の色が絶妙に混ざり合うことによって、幻想的で典雅な光を実現することができる。
【００２１】
図６は、本考案に係る葬儀葬祭用蓮華灯１における擬花１１の別の態様を示す図である。
図６に示す擬花は、LED電球１３１を円筒１１５で覆うとともに該円筒１１５の頂部に蓋１１６を取り付けた点において、先に述べた図５の擬花と異なっている。円筒１１５は、LED電球１３１から発せられる光をよく透過させるために、透明な素材を用いて形成されており、例えば塩化ビニル樹脂等の耐熱性の低い材料を用いても好適に作製することができる。
【００２２】
円筒１１５の頂部に取り付けられる蓋１１６は、蓮の花の雌しべを模したものである。一般的に蓮の花の雌しべは、頂部が平らであるとともに多数の小さな突起を持つ独特の形状を有している。また、一般的な蓮の花の雌しべは濃い鮮やかな黄色を呈し、白や桃色等の淡色の花びらに囲まれてひときわ目を引く。そこで、蓋１１６は、LED電球１３１から発せられる光を透過した時に鮮やかな黄色に見えるように、黄緑色に着色されているとともに、自然の雌しべと同じく上面に小さな突起を有している。好ましくは、蓋１１６の上面にフラッキー加工（基材上に短繊維を均一に立植する加工）を施すことにより、該蓋１１６の風合いを自然の蓮の花の雌しべにより近づけるとよい。
蓋１１６も、擬花１１を構成する他の部材と同じく耐熱性を有する必要がない。従って、紙やプラスチック等の安価な素材によって好適に作製され得ることは当然である。
【００２３】
上述したように、本考案に係る葬儀葬祭用蓮華灯１は、光源として発熱しにくいLED電球を採用している。これにより、通夜や告別式の際に長時間点灯し続けても、光源からの熱が擬花の内部に籠もることによって擬花が高温に曝される懸念がない。従って、擬花に耐熱性を持たせる必要がなく、擬花の素材を特に選ばなくても良いため、安価な素材で擬花を作製することができる。さらに、LED電球は白熱電球等の従来の光源に比べて電力消費が少なく、寿命も長いので、省エネルギーかつ光源の交換頻度を低減した葬儀葬祭用蓮華灯が実現される。
【００２４】
本実施例では、葬儀葬祭用蓮華灯１は蓮を模したものとしたが、例えば菊など葬祭の雰囲気に合うものであれば、他の植物体を模したものとしてもよい。その他、本考案の趣旨を逸脱しない範囲で種々の変形が可能である。
【符号の説明】
【００２５】
１…葬儀葬祭用蓮華灯
１１…擬花
１１０…がく
１１１…花びら
１１２…円環カバー
１１３…第１の円環部材
１１４…第２の円環部材
１１５…円筒
１１６…蓋
１２１ａ…本茎
１２１ｂ…側茎
１２２…つなぎ目
１３…擬実
１４…擬葉
１５…擬蕾
２０…土台
３０…照明装置
１３０…コンセント
１３１…LED電球
１３２ａ…主コード
１３２ｂ…分岐コード
１３３…ソケット
１３４…フランジ
【図１】
0003168388.tif 000003
【図２】
0003168388.tif 000004
【図３】
0003168388.tif 000005
【図４】
0003168388.tif 000006
【図５】
0003168388.tif 000007
【図６】
0003168388.tif 000008